(57)【特許請求の範囲】
【請求項１】
内部に物品が収容された包装体であって、
前記物品が収容される容器本体と、該容器本体の高さ方向における中央領域の外側面を基端として該容器本体の外方に延出する延出部とを備え、
該包装体は、前記延出部が前記基端から前記容器本体の高さ方向における一端である第１端部側を覆うように配置された第１態様から、前記基端を起点として前記延出部を反転させることにより、前記延出部が前記容器本体の高さ方向における他端である第２端部側を覆うように配置された第２態様に変更可能であり、
前記延出部における延出端は、少なくとも前記第２態様において前記他端側の端面を露出可能とする開口部を形成する包装体。
【請求項２】
前記収容部本体における前記他端側には開封可能な開封部が設けられている請求項１記載の包装体。
【請求項３】
前記基端は、前記中央領域における前記他端側に位置している請求項１又は２記載の包装体。
【請求項４】
前記延出部の延出長さは、前記収容部本体における前記基端から前記他端までの長さよりも長く構成されている請求項１〜３のいずれかに記載の包装体。
【請求項５】
前記延出部は、前記延出端近傍に前記開口部を封止可能な封止手段を有している請求項１〜４のいずれかに記載の包装体。
【請求項６】
前記封止手段は、前記延出端近傍に沿って設けられた紐挿通部と該紐挿通部に挿通された無端状の紐とから構成されている請求項５記載の包装体。
【請求項７】
前記延出部は、前記第１態様においては前記延出端から前記基端に向けて延びる破断可能な一対の破断部を有した状態で前記一端側を被覆しており、前記第２態様においては前記一対の破断部において破断された状態で前記他端側を被覆している請求項１〜６のいずれかに記載の包装体。
【請求項８】
前記第１態様における該包装体の外面表示と、前記第２態様における該包装体の外面表示とが異なる請求項１〜７のいずれかに記載の包装体。
【請求項９】
物品と、当該物品を収容する容器とからなり、
前記容器の外周には延出部が形成され、
前記延出部の一方の面には第１表示を有し、他方の面には第２表示を有し、
前記第１表示が容器外面側に位置するように前記延出部を容器本体側に折り返すことにより、前記容器全体の表示が第１表示に関連する流通販売時向け表示をなし、
前記第２表示が容器外面側に位置するように前記延出部を容器本体側に折り返すことにより、前記容器全体の表示が第２表示に関連する使用時向け表示をなす包装体。
【請求項１０】
内部に物品が収容された容器本体と、該容器本体の高さ方向における中央領域の外側面を基端として該容器本体の外方に延出する延出部とを備え、
前記延出部が前記基端から前記容器本体の高さ方向における一端である第１端部側を覆うように配置された第１態様と、
前記延出部が前記基端から前記容器本体の高さ方向における他端である第２端部側を覆うように配置された第２態様とを有する包装体。
【発明の詳細な説明】
【技術分野】
【０００１】
本発明は、物品を収容した状態において、その外観を変更可能な包装体に関する。
【背景技術】
【０００２】
一般に生理用ナプキンや使い捨ておむつ等の物品は、多数の当該物品が包装体に収容された状態で店頭に並べられて販売されている。そして、多数の物品が収容された包装体を購入した購入者は、通常それら物品を小分けした上で、少数の物品をポーチ等の携帯用に適した包装体に詰め替えて持ち運んでいる。
そこで、このような購入後の物品の小分け作業を要しないものとして、特許文献１には、少数の衛生用品を携帯するのに適した薄型形状の衛生用品の包装体が開示されている。特許文献１記載の包装体によれば、購入者は店頭にて当該包装体を購入した後、ポーチ等に小分けすることなく少数の衛生用品を携帯することができる。
【特許文献１】特開２０００−２８１１３１号公報
【発明の開示】
【発明が解決しようとする課題】
【０００３】
ところで、物品を収容した包装体の外観は、店頭における販売時には、ひと目で見て包装体の内容物が認識可能であり、且つ購入者の購買意欲を高めるような目立つ外観（外面表示）を有していることが好ましい。一方、包装体を携帯用に用いる場合には、その外観からひと目で内容物がわかってしまうことは好ましくなく、比較的目立たない外観（外面表示）を有することが好ましい。
従って、少量の物品を収容し携帯用にも適した包装体においては、店頭での販売時に適した目立つ外観と携帯用に適した目立たない外観とを、物品を収容した状態で変更できることが求められているが、特許文献１記載の包装体においては、そのような工夫はなんらなされていない。
【０００４】
従って、本発明の目的は、携帯用として好適に用いることができ、物品を収容した状態においてその外観（外面表示）を変更可能な包装体を提供することにある。
【課題を解決するための手段】
【０００５】
本発明者らは、包装体を、物品を収容した容器本体と、該容器本体を被覆可能な容器延出部とを備える構成とすることにより、上記課題を解決できることを見出し、本発明を完成するに至った。より具体的には、本発明は以下のようなものを提供する。
【０００６】
（１）  内部に物品が収容された包装体であって、前記物品が収容される容器本体と、該容器本体の高さ方向における中央領域の外側面を基端として該容器本体の外方に延出する延出部とを備え、該包装体は、前記延出部が前記基端から前記容器本体の高さ方向における一端である第１端部側を覆うように配置された第１態様から、前記基端を起点として前記延出部を反転させることにより、前記延出部が前記容器本体の高さ方向における他端である第２端部側を覆うように配置された第２態様に変更可能であり、前記延出部における延出端は、少なくとも前記第２態様において前記第２端部側の端面を露出可能とする開口部を形成する包装体。
【０００７】
（２）  前記容器本体における前記第２端部側には開封可能な開封部が設けられている（１）記載の包装体。
【０００８】
（３）  前記基端は、前記中央領域における前記第２端部側に位置している（１）又は（２）記載の包装体。
【０００９】
（４）  前記延出部の延出長さは、前記容器本体における前記基端から前記第２端部までの長さよりも長く構成されている（１）〜（３）のいずれかに記載の包装体。
【００１０】
（５）  前記延出部は、前記延出端近傍に前記開口部を封止可能な封止手段を有している（１）〜（４）のいずれかに記載の包装体。
【００１１】
（６）  前記封止手段は、前記延出端近傍に沿って設けられた紐挿通部と該紐挿通部に挿通された無端状の紐とから構成されている（５）記載の包装体。
【００１２】
（７）  前記延出部は、前記第１態様においては前記延出端から前記基端に向けて延びる破断可能な一対の破断部を有した状態で前記第１端部側を被覆しており、前記第２態様においては前記一対の破断部において破断された状態で前記第２端部側を被覆している（１）〜（６）のいずれかに記載の包装体。
【００１３】
（８）  前記第１態様における該包装体の外面表示と、前記第２態様における該包装体の外面表示とが異なる（１）〜（７）のいずれかに記載の包装体。
【００１４】
（９）  物品と、当該物品を収容する容器とからなり、前記容器の外周には延出部が形成され、前記延出部の一方の面には第１表示を有し、他方の面には第２表示を有し、前記第１表示が容器外面側に位置するように前記延出部を容器本体側に折り返すことにより、前記容器全体の表示が第１表示に関連する流通販売時向け表示をなし、前記第２表示が容器外面側に位置するように前記延出部を容器本体側に折り返すことにより、前記容器全体の表示が第２表示に関連する使用時向け表示をなす包装体。
【００１５】
（１０）  内部に物品が収容された容器本体と、該容器本体の高さ方向における中央領域の外側面を基端として該容器本体の外方に延出する延出部とを備え、前記延出部が前記基端から前記容器本体の高さ方向における一端である第１端部側を覆うように配置された第１態様と、前記延出部が前記基端から前記容器本体の高さ方向における他端である第２端部側を覆うように配置された第２態様とを有する包装体。
【発明の効果】
【００１６】
本発明の包装体は、携帯用として好適に用いることができ、物品を収容した状態においてその外観（外面表示）を変更可能である。
【発明を実施するための最良の形態】
【００１７】
以下、本発明の包装体をその好ましい一実施形態である第１実施形態に基づいて図面を参照しながら説明する。
【００１８】
第１実施形態における包装体１は、図１〜図５に示すように、内部に物品４が収容された容器本体２と、容器本体２の高さ方向における中央領域Ｘの外側面を基端３１として容器本体２の外方に延出する延出部３とを備えている。いい換えれば、包装体１は、物品４と当該物品４を収容する容器とからなり、容器の外周に延出部３が形成されているといえる。即ち、容器は、容器本体２と延出部３とから構成されている。
また、包装体１は、延出部３が基端３１から容器本体２の高さ方向における一端である第１端部２１側を覆うように配置された第１態様と、延出部３が基端３１から容器本体２の高さ方向における他端である第２端部２２側を覆うように配置された第２態様とを有する。
尚、本明細書において、容器本体２の高さ方向における中央領域Ｘとは、図６Ａに示すように、容器本体２を高さ方向に３等分した場合に中央に位置する領域を示す。
【００１９】
第１実施形態においては、容器本体２は、図１に示すように、縦長状の略直方体形状であり、第１端部２１側に位置する第１端面２３及び第２端部２２側に位置する第２端面２４を有している。また、第２端面２４には、図１及び図４に示すように、容器本体２の内部に収容されている物品４を取り出すための開封部２５が設けられている。容器本体２の内部に収容されている物品４は、開封部２５を開封することにより取り出し可能とされている。第１実施形態においては、開封部２５として、第２端面２４にミシン目が形成されている。
【００２０】
延出部３はシート状部材から構成されており、その基端３１は、図１〜図４に示すように、容器本体２の略全周に亘り、且つ容器本体２の高さ方向に直交する水平方向に延びるように形成されている。また、延出部３における基端３１と反対側の端部である延出端３２は自由端となっている。
延出部３の延出長さＬ１（基端３１から延出端３２までの長さ）は、図６Ａ及び図６Ｂに示すように、容器本体２における基端３１から第１端部２１までの長さＴ１、及び基端３１から第２端部２２までの長さＴ２よりも長く構成されている。従って、第１態様及び第２態様において、延出部３の延出端３２は、第１端部２１及び第２端部２２よりも長手方向の外側に位置する。また、基端３１は、容器本体２の中央領域における第２端部側に位置している。そのため、第２態様において延出部３が容器本体２の第２端部２２から外側に位置している部分の長さＬ２（図６Ｂ参照）は、第１態様において延出部３が容器本体２の第１端部２１から外側に位置している部分の長さＬ３（図６Ａ参照）よりも長くなっている。
【００２１】
即ち、延出部３における容器本体２の第１端部２１及び第２端部２２から外側に位置している部分によって第１端面２３及び第２端面２４の少なくとも一部が被覆及び露出可能となっている。換言すれば、延出部３における延出端３２によって第１端面２３及び第２端面２４を露出可能とする開口部３３が形成されている。
ここで、第１実施形態においては、開口部３３は、第１端面２３及び第２端面２４の略全周が延出端３２によって覆われているが（図１及び図４参照）、開口部３３は、第１端面２３及び第２端面２４の略全周が延出端３２によって覆われていなくてもよい。即ち、第１端面２３面及び第２端面２４の外周の一部に、延出端３２によって覆われていない部分があってもよい。
【００２２】
尚、第１実施形態においては、延出部３の延出長さＬ１は、容器本体２における基端３１から第１端部２１までの長さＴ１、及び基端３１から第２端部２２までの長さＴ２よりも長く構成されていたが、延出部３の延出長さＬ１は、少なくとも基端３１から第２端部２２までの長さＴ２よりも長く構成されていればよい。即ち、開口部３３は、少なくとも第２態様において形成されていればよい。
【００２３】
第１実施形態においては、延出部３は、図１〜図４に示すように、略同形の一対の延出片３４，３４から構成されている。一対の延出片３４，３４それぞれは、略矩形形状を有している。一対の延出片３４，３４それぞれには、それらの延出端３２，３２近傍に沿ってループ状の紐挿通部５１が形成されており、一対の紐挿通部５１，５１には、無端状の紐５２が挿通されている。詳細には、一対の紐挿通部５１，５１の両者を挿通する無端状の紐５２が２本設けられている。
【００２４】
この延出端３２近傍に設けられた一対の紐挿通部５１，５１及び該一対の紐挿通部５１，５１に挿通された無端状の紐５２，５２により、第１態様及び第２態様において形成される開口部３３は封止可能となっている。
即ち、延出部３は、延出端３２近傍に設けられた一対の紐挿通部５１，５１及び該一対の紐挿通部５１，５１に挿通された無端状の紐５２から構成され開口部３３を封止可能とする封止手段５を有している。
【００２５】
具体的には、少なくとも第２態様において、開口部３３は、一対の紐挿通部５１，５１の両者に挿通された２本の紐５２，５２を引くことにより、引き絞られて封止される。そして、開口部３３を封止することにより、露出していた第２端面２４を被覆することができる。
【００２６】
上述した構成を有する第１実施形態の包装体１は、延出部３が基端３１から容器本体２の第１端部２１側を覆うように配置された第１態様から、基端３１を起点として延出部３を反転させることにより、延出部３が容器本体２の第２端部２２側を覆うように配置された第２態様に変更可能となっている。
また、包装体１は、延出部３の一方の面である第１面３６に第１表示３８を有し、他方の面である第２面３７に第２表示３９を有している。そして、第１表示３８が容器外面側に位置するように延出部３を容器本体２側に折り返すことにより（第１態様）、容器全体の表示が第１表示３８に関連する流通販売時向け表示をなし、第２表示３９が容器外面側に位置するように延出部３を容器本体２側に折り返すことにより（第２態様）、容器全体の表示が第２表示３９に関連する使用時向け表示をなすものである。
【００２７】
更に説明すると、第１態様においては、包装体１の外表面は、図１に示すように、容器本体２における基端３１から第２端部２２側の外面２７及びシート状の延出部３の一方側の面である第１面３６から構成される。この状態においては、容器本体２における基端３１から第１端部２１側の外面２６は延出部３に覆われている。また、延出部３の他方側の面である第２面３７は、容器本体２における基端３１から第１端部２１側の外面２７に対向するように配置されている。即ち、第１態様においては、容器本体２における基端３１から第１端部２１側の外面２６及び延出部３の第２面３７は外観上視認することはできない。
【００２８】
一方、第２態様においては、包装体１の外表面は、図３に示すように、容器本体２における基端３１から第１端部２１側の外面２６及び延出部３における第２面３７から構成される。この場合には、容器本体２における基端３１から第２端部２２側の外面２７は延出部３に覆われている。また、延出部３における第１面３６は、容器本体２における基端３１から第２端部２２側の外面２７に対向するように配置されている。即ち、第２態様においては、容器本体２における基端３１から第２端部２２側の外面２７及び延出部３における第１面３６は外観上視認することはできない。
【００２９】
このように、第１態様において包装体１の外表面を構成している部分は、第２態様においては包装体１の外表面を構成せず、また、第２態様において包装体１の外表面を構成している部分は、第１態様においては包装体１の外表面を構成しない。
【００３０】
従って、第１態様において包装体１の外表面を構成している部分と第２態様において包装体１の外表面を構成している部分とに異なる表示を付することにより、延出部３を反転させるという簡単な操作を行うのみで、第１態様における包装体１の外面表示と、第２態様における包装体１の外面表示とを異ならせることが可能となる。
また、第１実施形態の包装体１においては、第１態様から第２態様への変更は、延出部３を反転させるのみで可能であるため、容器本体２の内部に物品４を収容したままで、包装体１の外観の変更が可能である。
【００３１】
このように、第１態様と第２態様とを物品４を収容した状態において容易に変更でき、且つ第１態様と第２態様とで外面表示を異ならせることが可能な第１実施形態の包装体１は、例えば、以下のようにして使用することができる。
【００３２】
第１実施形態の包装体１は、容器本体２の内部に複数の物品４が収容されたものであり、販売時には第１態様の状態で陳列される。
包装体１は、第１態様の状態において、第２端面２４を底面として陳列される。第１態様においては、包装体１の外表面は、図１に示すように、容器本体２における基端３１から第２端部２２側の外面２７及び延出部３における第１面３６から構成される。従って、これら第１面３６及び容器本体２における基端３１から第２端部２２側の外面２７に内容物が認識可能であり、且つ購入者の購買意欲を高めるような目立つ表示（第１表示３８）を付すことにより、第１態様における包装体１の外観を、陳列及び販売に適したものとすることが可能となる。
即ち、包装体１の外観が流通販売時向け表示をなす第１態様は、包装体１の展示態様ということができる。
【００３３】
次に、包装体１を購入した購入者が包装体１を携帯して持ち運ぶ際には、第１態様から基端３１を起点として延出部３を反転させることにより、第２態様に変更して用いることができる。ここで、第２態様においては、包装体１の外表面は、図４に示すように、容器本体２における基端３１から第１端部２１側の外面２６及び延出部３における第２面３７から構成される。従って、これら第２面３７及び容器本体２における基端３１から第１端部２１側の外面２６に、目立たない落ち着いた表示（第２表示３９）を付すことにより、第２態様における包装体１の外観を、携帯用に適したものとすることが可能となる。
【００３４】
そして、包装体１を携帯した状態において、包装体１における容器本体２に収容された物品４を使用する際には、第２端面２４に設けられた開封部２５を開封して容器本体２の内部に収容された物品４を取り出すことができる。第２端面２４は、一旦開封部２５が開封された後は開放状態となるが、第２態様においては、図４及び図５に示すように、延出部３が第２端面２４を覆うように配置されていると共に、封止手段５により開口部３３を封止可能とされている。そのため、物品を取り出した後に開口部３３を封止することで、容器本体２の内部に収容された物品４が開封部２５から脱出することを防止できる。
【００３５】
第１実施形態においては、封止手段５は、紐挿通部５１及び該紐挿通部５１に挿通された２本の無端状の紐５２，５２から構成されており、これら２本の紐５２，５２を互いに相反する方向に引くことにより開口部３３が封止可能となっている。即ち、第１実施形態の包装体１は、第２態様においては、巾着袋として使用できる。
このように、包装体１の外観が使用時向け表示をなす第２態様は、包装体１の使用態様ということができる。
【００３６】
次に、本発明の包装体１を構成する材料について説明する。
容器本体２を構成する材料としては、通常の包装体に使用される材料を特に制限なく用いることができ、その材料としては、例えば、ポリエチレン、ポリプロピレン、ポリエチレンテレフタレート、ポリアミド、ポリスチレン、ポリカーボネート、ポリ塩化ビニリデン、エチレン酢ビ共重合体、塩化ビニール、スチロール、アクリロニトリル・ブタジエン・スチレン（ＡＢＳ）、ポリブチレンテレフタレートが挙げられる。
また、容器本体２は、その形状が容易に変形可能な袋体から構成されていてもよく、その形状が容易には変形しない程度の剛性を有する箱体から構成されていてもよい。容器本体２が箱体から構成される場合、その形状に特に制限はない。容器本体２の形状としては、直方体、立方体、円筒形、球形等が挙げられる。
第１実施形態においては、容器本体２は、ポリエチレン製のシート材からなる袋体から構成されている。
【００３７】
延出部３を構成するシート状部材についても、通常包装体の材料として用いられる材料を特に制限なく用いることができる。シート状部材の材料としては、例えば、ポリエチレン、ポリプロピレン、ポリエチレンテレフタレート、ポリアミド、ポリスチレン、ポリカーボネート、ポリ塩化ビニリデン、エチレン酢ビ共重合体が挙げられる。
第１実施形態においては、延出部３は、容器本体２を構成するポリエチレン製のシート材と同様のシート材から構成されている。
【００３８】
容器本体２の内部に収容される物品４としては、一般に携帯して持ち運ばれる物品であればその種類に制限はない。このような物品としては、生理用ナプキン、パンティーライナー、使い捨ておむつ等の吸収性物品や、あめ、ガム等のお菓子等が挙げられる。
また、例えば、旅行をする際に使用される歯ブラシ、歯磨き粉、シャンプー、リンス等を一セットとして容器本体２の内部に収容し、旅行セット用の包装体１として販売することも好ましい。
【００３９】
次に、本発明の第２実施形態及について、図７を参照しながら説明する。
図７は、本発明の包装体１の第２実施形態における第１態様を示す斜視図である。
第２実施形態については、上述した第１実施形態と異なる点を主に説明し、同様の点は同一の符号を付して説明を省略する。特に説明しない点は、第１実施形態についての説明が適宜適用される。
【００４０】
第２実施形態の包装体１は、第１態様において、延出部３が、延出端３２から基端３１に向けて延びる破断可能な一対の破断部３５，３５を有した状態で基端３１から第１端部２１側を被覆している点で、第１実施形態と異なる。
第２実施形態においては、包装体１の第１態様において、延出部３は一体化された状態で基端３１から第１端部２１側を覆うように配置されている。
【００４１】
そして、包装体１を第１態様から第２態様に変更するときには、先ず、延出部３に設けられた一対の破断部３５，３５において延出部３を破断する。次いで、破断された延出部３を、その基端３１を起点として反転させて（図２参照）、延出部３が容器本体２における基端３１から第２端部２２側を覆うように配置させる（図３参照）。
即ち、包装体１は、第２態様においては、延出部３が一対の破断部３５，３５において破断された状態で容器本体２における基端３１から第２端部２２側を被覆している。
【００４２】
破断部３５は、例えば、第１実施形態における一対の延出片３４，３４を、それらの側縁同士を容易に離間可能に接合することにより形成することができる。また、破断部３５は、一端に開口部３３が形成され、他端が基端３１となった筒状の延出部３に一端から他端に向けて延びるミシン目を設けることによっても形成できる。
【００４３】
第２実施形態の包装体１によれば、第１実施形態と同様の効果が奏される他、第１態様において、延出部３が一体化した状態で容器本体２における基端３１から第１端部２１側を覆っているため、意図せずして延出部３が反転されるのを防ぐことができる。
また、延出部３を反転させる際には、破断部３５において延出部３を破断したうえで行うため、包装体１の第１態様から第２態様への変更を容易に行うことができる。
【００４４】
本発明は、上述した各実施形態に制限されることなく、本発明の趣旨を逸脱しない限り適宜変更が可能である。
例えば、包装体１は、第１実施態様において延出端１３が第１端部２１よりも容器本体２の長手方向の内側に位置するように構成してもよい。これにより、第１態様の状態において、包装体１を多段に積み上げて陳列する際に、延出端３２が第１端部２１よりも容器本体２の長手方向の外側に位置することによって包装体１の陳列時の安定感が低下することを防止できる。
【００４５】
また、第１実施形態及び第２実施形態においては、延出部３は、容器本体２の略全周を基端３１として延出するように形成されていたが、延出部３は容器本体２の略全周を基端３１としていなくてもよい。即ち、容器本体２の周方向において、延出部３の基端３１が形成されていない部分があってもよい。
【００４６】
また、第１実施形態及び第２実施形態においては、容器本体２及び延出部３は、同一のシート状部材から構成されていたが、容器本体２及び延出部３は、異なる部材から構成されていてもよい。例えば、容器本体２として、容易に変形しない程度の剛性を有した箱体を用いると共に、容器本体２の中央領域Ｘの外側面に基端３１を有するようにシート状部材を接合して延出部３を形成してもよい。
【００４７】
また、封止手段５は、第１実施形態及び第２実施形態においては、紐挿通部５１及び該紐挿通部５１に挿通された無端状の紐５２から構成されていたが、封止手段５は、メカニカルファスナーのオス材とメス材から構成されていてもよい。
また、開封部２５についても、第１実施形態及び第２実施形態に示されたミシン目に限られず、上述のメカニカルファスナー等により形成してもよい。
【図面の簡単な説明】
【００４８】
【図１】図１は、本発明の包装体の第１実施形態における第１態様を示す斜視図である。
【図２】図２は、本発明の包装体の第１実施形態において延出部を反転させる途中の状態を示す斜視図である。
【図３】図３は、本発明の包装体の第１実施形態における第２態様を示す斜視図である。
【図４】図４は、図３に示す包装体を上下反転させたものである。
【図５】図５は、図４に示す包装体の開口部を封止した状態を示す斜視図である。
【図６】図６は、第１実施形態の包装体の正面図であり、図６Ａは第１態様における正面図を示し、図６Ｂは第２態様における正面図を示す。
【図７】図７は、本発明の包装体の第２実施形態における第１態様を示す斜視図である。
【符号の説明】
【００４９】
１  包装体
２  容器本体
２１  第１端部
２２  第２端部
２３  第１端面
２４  第２端面
２５  開封部
２６  容器本体における基端から第１端部側の外面
２７  容器本体における基端から第２端部側の外面
３  延出部
３１  基端
３２  延出端
３３  開口部
３４  延出片
３５  破断部
３６  第１面
３７  第２面
３８  第１表示
３９  第２表示
４  物品
５  封止手段
５１  挿通部
５２  無端状の紐
【図１】
0005016436.tif 000002
【図２】
0005016436.tif 000003
【図３】
0005016436.tif 000004
【図４】
0005016436.tif 000005
【図５】
0005016436.tif 000006
【図６】
0005016436.tif 000007
【図７】
0005016436.tif 000008